(57)【特許請求の範囲】
【請求項１】
スタンプユニットの下端に設けられた人工指紋転写部材を評価対象部材の表面に押し付けることにより、前記人工指紋転写部材に付着した人工指紋液を前記評価対象部材の表面に付着させる人工指紋付着方法であって、
前記スタンプユニットは、垂直方向に延び下端に前記人工指紋転写部材が設けられたスタンプピンと、前記スタンプユニットの重量を調整するための分銅を載置可能であり前記スタンプピンの上端に設けられた水平テーブルと、を備え、
人工指紋液転写源を用意し、
前記スタンプユニットの下に前記人工指紋液転写源を位置決めし、
前記スタンプユニットを下降させて、実質的に該スタンプユニットの自重で前記人工指紋転写部材を前記人工指紋液転写源に所定時間押し付けて、前記人工指紋転写部材に人工指紋液を付着させた後に前記スタンプユニットを上昇させ、
前記スタンプユニットの下に前記評価対象部材を位置決めし、
前記スタンプユニットを下降させて、実質的に前記スタンプユニットの自重で前記人工指紋転写部材を前記評価対象部材に所定時間押し付けて、前記評価対象部材の表面に人工指紋液を付着させた後に前記スタンプユニットを上昇させ、
前記人工指紋液が付着した前記評価対象部材を前記スタンプユニットの下から取り除くことを特徴とする人工指紋付着方法。
【請求項２】
前記人工指紋転写部材は高さ寸法が５〜３０mmであり、転写面の面積が２０〜３００mm２であることを特徴とする、請求項１に記載の人工指紋付着方法。
【請求項３】
前記人工指紋転写部材が円柱状及び下方に向けて徐々に縮径した切頭円錐形のいずれかの形状を有することを特徴とする、請求項１に記載の人工指紋付着方法。
【請求項４】
前記人工指紋転写部材が４０〜８０HSの硬さを有することを特徴とする、請求項１に記載の人工指紋付着方法。
【請求項５】
前記人工指紋転写部材の転写面が算術平均粗さ約0.6〜4.5μｍの粗面で構成されたことを特徴とする、請求項１に記載の人工指紋付着方法。
【請求項６】
評価対象部材の表面に所望の量の人工指紋液を付着させるための人工指紋付着装置であって、
垂直方向に延びるスタンプピンと、重量を調整するための分銅を載置可能であり前記スタンプピンの上端に設けられた水平テーブルと、前記スタンプピンの下端に設けられた人工指紋転写部材と、を備えたスタンプユニットと、
該スタンプユニットを上下に摺動可能に支持するスタンプユニット支持部と、
該スタンプユニット支持部を上下に駆動するための上下動用アクチュエータと、を含み、
前記上下動用アクチュエータを動作させることにより前記スタンプユニット支持部を下降させて、前記スタンプユニットの人工指紋転写部材を前記評価対象部材に着座させたときに、実質的に前記スタンプユニットの自重で、所定量の人工指紋液が付着した前記人工指紋転写部材を前記評価対象部材の表面に押し付けて、前記人工指紋転写部材の人工指紋液を前記評価対象部材の表面に付着させるように構成されたことを特徴とする人工指紋付着装置。
【請求項７】
前記上下動用アクチュエータを制御するための制御手段を更に有し、
前記人工指紋転写部材を前記評価対象部材に押し付けている時間をユーザが設定することができることを特徴とする、請求項６に記載の人工指紋付着装置。
【請求項８】
前記人工指紋転写部材は高さ寸法が５〜３０mmであり、転写面の面積が２０〜３００mm２であることを特徴とする、請求項６に記載の人工指紋付着装置。
【請求項９】
前記人工指紋転写部材が円柱状及び下方に向けて徐々に縮径した切頭円錐形のいずれかの形状を有することを特徴とする、請求項６に記載の人工指紋付着装置。
【請求項１０】
前記人工指紋転写部材が４０〜８０HSの硬さを有することを特徴とする、請求項６に記載の人工指紋付着装置。
【請求項１１】
前記人工指紋転写部材の転写面が算術平均粗さ約0.6〜4.5μｍの粗面で構成されたことを特徴とする、請求項６に記載の人工指紋付着装置。
【請求項１２】
前記人工指紋転写部材が接近可能である内方領域及び前記人工指紋転写部材から離れた待機領域の間で移動可能な、前記評価対象部材を載置するための評価対象部材用テーブルを更に含み、
前記評価対象部材を載置した前記評価対象部材用テーブルを前記内方領域にセットした状態で、前記上下動用アクチュエータを動作させることにより前記スタンプユニット支持部を下降させて、前記スタンプユニットの人工指紋転写部材を前記評価対象部材に着座させたときに、実質的に前記スタンプユニットの自重で、前記人工指紋転写部材を前記評価対象部材の表面に押し付けて、前記人工指紋転写部材の人工指紋液を前記評価対象部材の表面に付着させるように構成されたことを特徴とする、請求項６に記載の人工指紋付着装置。
【請求項１３】
前記人工指紋液を供給するための人工指紋液転写源を更に有し、
前記上下動用アクチュエータを動作させることにより前記スタンプユニット支持部を下降させて、前記スタンプユニットの人工指紋転写部材を前記人工指紋液転写源に着座させたときに、実質的に前記スタンプユニットの自重によって前記人工指紋転写部材を前記人工指紋液転写源に押し付けて、前記人工指紋転写部材に人工指紋液を付着させるように構成されたことを特徴とする、請求項１２に記載の人工指紋付着装置。
【請求項１４】
前記人工指紋液転写源が、前記人工指紋液を塗布した人工指紋液転写ディスクからなることを特徴とする、請求項１３に記載の人工指紋付着装置。
【請求項１５】
前記評価対象部材が光ディスクであり、
前記人工指紋転写部材に接近可能である内方領域及び前記人工指紋転写部材から離れ待機領域の間で移動可能な、前記人工指紋液転写ディスクを載置するための人工指紋液転写ディスク用テーブルと、
前記スタンプユニット支持部を水平方向に回動させて、該スタンプユニット支持部を第１回転位置と第２回転位置とに位置決めするためのロータリアクチュエータとを更に有し、
前記スタンプユニット支持部の第１回転位置に対応して前記評価対象部材用テーブルが配設され、前記スタンプユニット支持部の第２回転位置に対応して前記人工指紋液転写ディスク用テーブルが配設されていることを特徴とする、請求項１４に記載の人工指紋付着装置。
【請求項１６】
前記評価対象部材用テーブル及び前記人工指紋液転写ディスク用テーブルのうち、少なくとも前記評価対象部材用テーブルがテーブル用アクチュエータにより前記内方領域と前記待機領域との間で移動するように構成されたことを特徴とする、請求項１５に記載の人工指紋付着装置。
【発明の詳細な説明】
【技術分野】
【０００１】
本発明は、評価対象部材に人工指紋を付着させるための人工指紋付着方法及び人工指紋付着装置、指紋拭き取り性の評価を行うために人工指紋液を付着させた評価対象部材から人工指紋液を拭き取るための人工指紋拭き取り方法及び人工指紋拭き取り装置に関し、典型的にはＣＤ、ＤＶＤなどの光ディスクの評価のために用いられる。
【背景技術】
【０００２】
ＣＤ、ＤＶＤなどの光ディスクは、その表面の汚染や傷に敏感である。近年は、膨大な情報（典型的には動画像情報）を収めるために高い記録密度を備えた光ディスクが求められており、記録密度が高くなればなるほど記録／再生ビームの集光スポット径が小さくなるためレーザービーム入射側表面に付着した塵埃や指紋などの汚染や傷に対して敏感になる。このことから、光ディスクの表面をハードコートなどでコーティングすることが提案されている。【０００３】
光ディスクの開発において、表面の傷や汚染に対する対策を評価するため、例えば汚染に関して、実際に指紋を付着させて、その拭き取り性を目視で評価することが行われてきたが、人間の指紋では個人差があり客観性を保つことが難しい。【０００４】
この客観性を担保するために、水とエタノールの混合液に少量の塩化ナトリウム、尿素、乳酸を溶解させた人工指紋液を調製し、この人工指紋液を光ディスクの表面に付着させることで、指紋の拭き取り性を目視で評価することが行われている。また、特開２００３−１６８２４８号公報は、人間の指紋に近似した性状を備えた人工指紋液を提案している。【０００５】
人工指紋液は、典型的な適用例として、光ディスクの防汚性、指紋付着性、指紋拭き取り性などの評価に一定の客観性を提供することが可能になるものの、人工指紋液を評価対象部材に付着させる条件が一定でない限り評価の客観性を担保することができない。【０００６】
又、人工指紋液は、光ディスクの指紋拭き取り性などの評価に一定の客観性を提供することが可能になるものの、評価対象のディスクに付着させた人工指紋の拭き取り性の評価の客観性を担保するには、この拭き取り作業の再現性を確保することが必要となる。
【発明の開示】
【０００７】
そこで、本発明の目的は、光ディスクのような評価対象部材に対する人工指紋液の付着の条件を一定にすることのできる人工指紋付着方法及び人工指紋付着装置を提供することにある。
【０００８】
又、本発明の更なる目的は、光ディスクのような評価対象部材に付着させた人工指紋の拭き取り作業の条件を一定にすることのできる人工指紋拭き取り方法及び人工指紋拭き取り装置を提供することにある。
【０００９】
かかる技術的課題は、本発明の第１の観点によれば、
スタンプユニットの下端に設けられた人工指紋転写部材を評価対象部材の表面に押し付けることにより、前記人工指紋転写部材に付着した人工指紋液を前記評価対象部材の表面に付着させる人工指紋付着方法であって、
人工指紋液転写源を用意し、
前記スタンプユニットの下に前記人工指紋液転写源を位置決めし、
前記スタンプユニットを下降させて、実質的に該スタンプユニットの自重で前記人工指紋転写部材を前記人工指紋液転写源に所定時間押し付けて、前記人工指紋転写部材に人工指紋液を付着させた後に前記スタンプユニットを上昇させ、
前記スタンプユニットの下に前記評価対象部材を位置決めし、
前記スタンプユニットを下降させて、実質的に前記スタンプユニットの自重で前記人工指紋転写部材を前記評価対象部材に所定時間押し付けて、前記評価対象部材の表面に人工指紋液を付着させた後に前記スタンプユニットを上昇させ、
前記人工指紋液が付着した前記評価対象部材を前記スタンプユニットの下から取り除くことを特徴とする人工指紋付着方法により達成される。
【００１０】
また、上述した技術的課題は、本発明の第２の観点によれば、
評価対象部材の表面に所望の量の人工指紋液を付着させるための人工指紋付着装置であって、
下端に人工指紋転写部材を備えたスタンプユニットと、
該スタンプユニットを上下に摺動可能に支持するスタンプユニット支持部と、
該スタンプユニット支持部を上下に駆動するための上下動用アクチュエータと、を含み、
前記上下動用アクチュエータを動作させることにより前記スタンプユニット支持部を下降させて、前記スタンプユニットの人工指紋転写部材を前記評価対象部材に着座させたときに、実質的に前記スタンプユニットの自重で、所定量の人工指紋液が付着した前記人工指紋転写部材を前記評価対象部材の表面に押し付けて、前記人工指紋転写部材の人工指紋液を前記評価対象部材の表面に付着させるように構成されたことを特徴とする人工指紋付着装置により達成される。
【００１１】
すなわち、本発明によれば、スタンプユニットの自重を使って評価対象部材の表面に人工指紋液を付着させるようにしてあるため、評価対象部材に人工指紋を付着させる条件を一定に保つことができ、これにより、評価の客観性を担保することができる。
【００１２】
本発明の人工指紋付着方法及び人工指紋付着装置では、例えばスタンプユニットが分銅等の重量調整用部材を備え、スタンプユニットの自重が調整可能であるのが好ましい。また、人工指紋転写部材を前記評価対象部材に押し付けている時間をユーザが設定可能であるのが好ましい。
【００１３】
本発明の好ましい実施の形態によれば、上下動用アクチュエータを制御する制御手段を有する。この制御手段は、好ましくは、スタンプユニット支持部を下降させて人工指紋転写部材を人工指紋液転写ディスクと評価対象の光ディスクに押し付けている時間をユーザが設定する例えばタイマ設定手段を含む。これによれば、種々の評価の各評価に適した時間を設定することで、人工指紋転写部材を人工指紋液転写ディスクに押し付ける時間及び評価対象の光ディスクに押し付ける時間を規定することができる。
【００１４】
又、本発明の好ましい実施の形態では、人工指紋転写部材の材料として４０〜８０HSの硬さのシリコーンゴムが採用される。
【００１５】
また、人工指紋液を担持する人工指紋転写部材の下端面つまり転写面を所定の粗面で構成することにより、人工指紋液の付着の一定性及び再現性を確保することができる。人工指紋転写部材は、典型的には、エラストマー材料（典型的にはシリコーンゴム）から作られる。
【００１６】
又、上述した技術的課題は、本発明の第３の観点によれば、
スタンプユニットの下端に設けられた人工指紋転写部材を評価対象部材の表面に押し付けることにより、前記人工指紋転写部材に付着した人工指紋液を前記評価対象部材の表面に付着させた後に、該評価対象部材に付着した人工指紋液を拭き取る人工指紋拭き取り方法であって、
人工指紋液転写源を用意し、
前記スタンプユニットの下に前記人工指紋液転写源を位置決めし、
前記スタンプユニットを下降させて、該スタンプユニットの自重で前記人工指紋転写部材を前記人工指紋液転写源に所定時間押し付けて、前記人工指紋転写部材に人工指紋を付着させた後に前記スタンプユニットを上昇させ、
前記スタンプユニットの下に前記評価対象部材を位置決めし、
前記スタンプユニットを下降させて、実質的に前記スタンプユニットの自重で前記人工指紋転写部材を前記評価対象部材に所定時間押し付けて、前記評価対象部材の表面に人工指紋液を付着させた後に前記スタンプユニットを上昇させ、
前記人工指紋液が付着した前記評価対象部材を前記スタンプユニットの下から取り除き、
該人工指紋液が付着した評価対象部材の上に、一定の荷重を付加した状態で拭き取り部材を載置し、
該拭き取り部材と前記評価対象部材とを規定の条件で相対移動させて前記評価対象部材の人工指紋液を拭き取ることを特徴とする人工指紋拭き取り方法により達成される。
【００１７】
本発明の人工指紋拭き取り方法発明によれば、評価対象部材に対して人工指紋の付着条件を一定にすることができ、また、その拭き取り条件を一定にすることができるため、指紋拭き取り性の評価に客観性を付与できるだけでなく、その客観性を一層確実なものにすることができる。
【００１８】
又、かかる技術的課題は、本発明の第４の観点によれば、
所定量の人工指紋液が付着した評価対象部材の表面から規定の条件に従って前記人工指紋液を拭き取るための人工指紋拭き取り装置であって、
前記人工指紋が付着した評価対象部材を載置するための評価対象部材用テーブルと、
該評価対象部材用テーブルに載置された前記評価対象部材の表面に、荷重を加えた状態で当接される拭き取り部材と、
該拭き取り部材と前記評価対象部材用テーブルとを一定の条件の下で相対移動させる駆動機構とを有し、
前記拭き取り部材に加える荷重及び前記駆動機構の動作条件が調整可能であることを特徴とする人工指紋拭き取り装置を提供することにより達成される。
【００１９】
本発明の人工指紋拭き取り装置発明によれば、指紋拭き取り作業の条件を一定のものにすることができ、これにより、指紋拭き取り性の評価に客観性を与えることができる。好ましい実施の形態として、評価対象部材に所定量の人工指紋液を付着させるのに人工指紋付着装置を使うのが、その一定性を確保するうえで好ましい。
【００２０】
すなわち、好ましい人工指紋付着装置として、
下端に人工指紋転写部材を備えたスタンプユニットと、
該スタンプユニットを上下に摺動可能に支持するスタンプユニット支持部と、
該スタンプユニット支持部を上下に駆動するための上下動用アクチュエータと、を含み、
前記上下動用アクチュエータを動作させることにより前記スタンプユニット支持部を下降させて、前記スタンプユニットの人工指紋転写部材を前記評価対象部材に着座させたときに、実質的に前記スタンプユニットの自重で、所定量の人工指紋液が付着した前記人工指紋転写部材を前記評価対象部材の表面に押し付けて、前記人工指紋転写部材の人工指紋液を前記評価対象部材の表面に付着させるように構成された人工指紋付着装置を採用するのがよい。
【００２１】
人工指紋拭き取り装置は、拭き取り部材と評価対象部材用テーブルとを相対的に水平方向に往復動作させて指紋を拭き取るようにしてもよく、また、拭き取り部材と評価対象部材用テーブルとを相対的に回転動作させて指紋を拭き取るようにしてもよい。
【００２２】
往復動作の回数、相対回転の回数は予め規定しておいてもよいが、これをユーザが任意に設定できるようにするのが好ましい。
【図面の簡単な説明】
【００２３】
【図１】実施例の人工指紋付着装置の概要を示す図である。
【図２】図１の人工指紋付着装置を上から見た平面図である。
【図３】実施例の人工指紋付着装置の第１工程を説明するための図である。
【図４】実施例の人工指紋付着装置の第２工程を説明するための図である。
【図５】実施例の人工指紋付着装置の第３工程を説明するための図である。
【図６】実施例の人工指紋付着装置の第４工程を説明するための図である。
【図７】人工指紋付着装置と共に使用するのが好ましい人工指紋拭き取り装置の全体構成図である。
【発明を実施するための最良の形態】
【００２４】
図１は人工指紋付着装置の概要を示し、図２はその平面図である。図示の人工指紋付着装置１は、具体的な適用例としてＤＶＤなどの光ディスクの評価のために用いられる。【００２５】
図１、図２を参照して、人工指紋付着装置１は、基台２に設置されたスタンプユニット３、サンプルディスク（評価対象部材）用テーブル４、人工指紋液転写ディスク用テーブル５を有する。スタンプユニット３は、垂直方向に延びるスタンプピン６と、スタンプピン６の上端に設けられた水平テーブル(分銅用テーブル)７と、水平テーブル７の上に載置可能であり、スタンプユニット３の重量を調整するための分銅（重量調整用部材）８と、を備える。【００２６】
スタンプピン６の下端には人工指紋転写部材９が設けられている。この人工指紋転写部材９は、スタンプピン６に対して交換可能に取り付けられていてもよいが、この実施例では例えば接着剤などを使って取り付けられ、人工指紋転写部材９が摩耗したときにはスタンプピン６と一緒に交換される。【００２７】
スタンプピン６は、アーム（スタンプユニット支持部）１０に対してボールブッシュ１１を介して取り付けられ、ボールブッシュ１１と人工指紋転写部材９との間には比較的弱い付勢力のクッション用バネ１２が介装されている。アーム１０はスライドガイド１１０に案内されて上下に移動可能であり、垂直シリンダ(上下動用アクチュエータ)１３によって駆動される。スライドガイド１１０は回転体１４に固設され、回転体１４は、ロータリアクチュエータ１５の垂直方向に延びる出力軸１５ａに連結されている。ロータリアクチュエータ１５は、第１、第２の回転位置Ｐ１、Ｐ２をとることができ、その回動角度θは、特に制限されるものではないが９０°に設定されている（図２）。【００２８】
第１回転位置Ｐ１に隣接してサンプルディスク用テーブル４が配設され、このサンプルディスク用テーブル４に、評価対象である再生専用光ディスクや光記録ディスクなどの光情報媒体（以下、「評価対象ディスク」という）Ｄ1を脱着可能にセットすることができる。また、第２回転位置Ｐ２に隣接して人工指紋液転写ディスク用テーブル５が配設され、この人工指紋液転写ディスク用テーブル５に、人工指紋液を塗布した人工指紋液転写ディスク(人工指紋液転写源)Ｄ2を脱着可能にセットすることができる。【００２９】
図１を参照して、サンプルディスク用テーブル４は、手動であってもよいが、好ましくはロータリアクチュエータ出力軸１５に向けて半径方向に延びる水平ボールスライド軸１６によってスタンプユニット３に対して離間接近することができるのがよく、ボールスライド軸１６はサーボモータ１７によって回転駆動される。人工指紋液転写ディスク用テーブル５も、手動であってもよいが、好ましくはサンプルディスク用テーブル４と同様の構成を採用して、モータ駆動によりスタンプユニット３に対して離間接近することができるのがよい。【００３０】
人工指紋付着装置１はコントローラ１８によって制御される。コントローラ１８は、マニュアル式の起動スイッチ１９やタイマ設定手段１８ａを含み、タイマ設定手段１８ａによって、各種アクチュエータの動作タイミング及び動作停止時間をユーザが任意に設定することができる。【００３１】
人工指紋付着装置１は、例えばＤＶＤ、Blu-rayディスクなどのレーザービーム入射側表面の汚れ（典型的には指紋の付着）難さや、汚れの拭き取り性の評価のために、規定の条件で人工指紋を評価対象ディクスＤ1に付着させるのに用いられる。【００３２】
人工指紋付着装置１を使って人工指紋を評価対象ディスクＤ1に付着させる作業工程を図３〜図６を参照して説明する。図３〜図６は工程順序に対応しており、図３は第１工程、図４は第２工程、図５は第３工程、図６は第４工程を示す。【００３３】
図３の第１工程では、サンプルディスク用テーブル４はスタンプユニット３から遠ざかった原位置（待機領域）に位置しており、この待機領域に位置するサンプルディスク用テーブル４の上に評価対象ディスクＤ1がセットされる。また、スタンプユニット３はサンプルディスク用テーブル４に対応した第１回転位置Ｐ１で待機した状態にある。【００３４】
次の第２工程（図４）では、人工指紋液転写ディスク用テーブル５は、スタンプユニット３から遠ざかった原位置（待機領域）に位置しており、この待機領域に位置する人工指紋液転写ディスク用テーブル５の上に人工指紋液転写ディスクＤ2がセットされる。【００３５】
次の第３工程（図５）において、ユーザが起動スイッチ(図示省略)をオン操作することにより人工指紋付着装置１は動作を開始する。起動スイッチをＯＮ操作すると、サンプルディスク用テーブル４及び人工指紋液転写ディスク用テーブル５は、これらにスタンプユニット３が接近可能である内方領域内の位置、つまりスタンプ位置、転写位置（図５の実線位置）まで移動する。次いで、スタンプユニット３が時計回り方向に９０°回転して人工指紋転写部材９が人工指紋液転写ディスクＤ2の上方に位置決めされ、その後、スタンプピン６が下降して人工指紋転写部材９が人工指紋液転写ディスクＤ2の上に押し付けられる。スタンプピン６の下降動により人工指紋転写部材９が人工指紋液転写ディスクＤ2に当接するときの衝撃は、クッション用バネ１２によって緩和される。このように人工指紋転写部材９を人工指紋液転写ディスクＤ2に押し付けることにより、人工指紋液転写ディスクＤ2の人工指紋液が人工指紋転写部材９の下端面に転写される。人工指紋転写部材９が人工指紋液転写ディスクＤ2に押し付けられている転写時間はユーザがタイマ設定手段１８ａによって任意に設定可能である。【００３６】
ユーザが設定した所定の転写時間が経過すると、次の第４工程（図６）に移行する。第４工程では、スタンプピン６が上昇動作を開始して待機位置まで戻ると、スタンプユニット３が反時計回り方向に９０°回転して人工指紋転写部材９が評価対象ディスクＤ1の上方に位置決めされる。次いで、スタンプピン６が下降して人工指紋転写部材９が評価対象ディスクＤ1に押し付けられる。スタンプピン６の下降動により人工指紋転写部材９が評価対象ディスクＤ1に当接するときの衝撃は、クッション用バネ１２によって緩和される。人工指紋液が付着した人工指紋転写部材９を評価対象ディスクＤ1に押し付けることにより、評価対象ディスクＤ1の表面に人工指紋をスタンプすることができる。【００３７】
人工指紋転写部材９のスタンプ力つまり評価対象ディスクＤ1に人工指紋転写部材９を押し付ける力は、実質的に、分銅８を含むスタンプユニット３の自重によって規定される。人工指紋転写部材９が評価対象ディスクＤ1に押し付ける時間つまりスタンプ時間はユーザがタイマ設定手段１８ａによって任意に設定可能である。スタンプ時間が経過すると、スタンプピン６が上昇して待機位置まで戻ると共に、サンプルディスク用テーブル４及び人工指紋液転写ディスク用テーブル５がスタンプ位置又は転写位置から外方に移動して原位置（待機領域）に戻り待機状態になる（図４の第２工程の状態）。【００３８】
人工指紋をスタンプし終わった評価対象ディスクＤ1は、サンプルディスク用テーブル４から取り外されて種々の評価の対象となる。他方、人工指紋付着装置１は待機状態になるが、この待機状態のときに、例えばエタノール液で湿らせた布で人工指紋転写部材９に残存している人工指紋液を除去するのがよい（洗浄工程）。この洗浄工程は、洗浄液を使うことなく、布や紙を使って人工指紋転写部材９から人工指紋液を拭うことにより、人工指紋転写部材９に残存している人工指紋液を除去するようにしてもよい。【００３９】
また、次の評価対象ディスクＤ１に人工指紋をスタンプする前に、人工指紋転写部材９が人工指紋液転写ディスクＤ2の同じ箇所で反復的に転写動作するのを回避するために人工指紋液転写ディスク用テーブル５を若干回転変位させるのがよく、又は、サーボモータ１７を動作させて人工指紋液転写ディスク用テーブル５を若干変位させるようにしてもよい。【００４０】
人工指紋付着装置１に好適に適用可能な人工指紋液は、特開２００３−１６８２４８号公報に基本的な考え方が開示されているように、人間の指紋に近似した性状を備えているのがよく、例えば、微粒子状物質と、微粒子状物質を分散することのできる分散媒とで人間の指紋に近似した性状を有するのがよい。【００４１】
このような人間の指紋に近似した性状の人工指紋液は、ＣＤ、ＤＶＤなどの防汚性、指紋付着性、指紋除去性（拭き取り性）などの種種の評価のために好適に使用することができる。人間の指紋に近似した性状の人工指紋液は、微粒子状物質と、この微粒子状物質を分散させる分散媒と、必要に応じて添加される希釈剤とを含む。【００４２】
人工指紋液の成分である微粒子状物質は無機微粒子及び有機微粒子から選ばれる少なくとも１種類の微粒子を有し、無機微粒子としてはシリカ微粒子、アルミナ微粒子、酸化鉄微粒子及びこれら微粒子から選ばれる任意の２種以上の混合物を例示することができる。また、有機微粒子としては、キチン微粒子、キトサン微粒子、アクリル系微粒子、スチレン系微粒子、ジビニルベンゼン系微粒子、ポリアミド系微粒子、ポリイミド系微粒子、ポリウレタン系微粒子、メラミン系微粒子及びこれら微粒子から選ばれる任意の２種以上の混合物を例示することができる。人工指紋液に含まれる全ての微粒子状物質のうち、無機微粒子の含有量は、人工指紋液の性能の安定性の観点から、全微粒子状物質を基準として５０重量％以上、好ましくは８０重量％以上であるのがよく、１００重量％であってもよい。【００４３】
微粒子状物質は、0.0５〜100μｍの平均粒径を有するのがよく、好ましくは0.0５〜50μｍ、より好ましくは0.0５〜30μｍ、更に好ましくは0.５〜10μｍであるのがよい。市販の微粒子状物質としてJIS  Ｚ８９０１試験用粉体１及び２を挙げることができ、また、ＩＳＯ試験用粉体１２１０３−１、（社）日本粉体工業技術協会（ＡＰＰＩＥ）の標準粉体を挙げることができ、これらは人工指紋液の微粒子状成分として好適に採用することができる。JIS  Ｚ８９０１試験用粉体１の中でも特に好ましいものとして、関東ロームを挙げることができる。また、上述した試験用粉体に含まれる無機微粒子の少なくとも１種、例えばＳｉＯ２、Ｆｅ２Ｏ３、Ａｌ２Ｏ３などから少なくとも１種を選択してもよい。【００４４】
微粒子状物質は、２５℃における臨界表面張力が４０ｍＮｍ―１以上であるのがよく、好ましくは５０ｍＮｍ―１以上であるのがよく、また、分散媒の２５℃での表面張力よりも大きいことが好ましい。【００４５】
人工指紋液の成分である分散媒としては、高級脂肪酸、高級脂肪酸の誘導体、テンペン類、テンペン類の誘導体を例示することができ、２５℃の表面張力が２０〜５０ｍＮｍ―１の範囲であるのが好ましい。高級脂肪酸としては、オレイン酸、リノール酸、リノレン酸を挙げることができる。高級脂肪酸の誘導体としては、ジグリセリド誘導体、トリグリセリド誘導体（典型的にはトリオレイン）などのエステル誘導体を挙げることができる。テンペン類としては、例えばスクアレン、リモネン、α-ピネン、β-ピネン、カンフェン、リナロール、テルピネオール、カジネンなどを挙げることができる。【００４６】
人工指紋液に含まれる分散媒の粘度は、２５℃で５００ｃＰ以下、好ましくは0.5〜３００ｃＰ、より好ましくは５〜２５０ｃＰであるのがよい。このような粘度に調整することにより、評価対象ディスクＤ1に人工指紋をスタンプした後においても微粒子状物質を良好に分散させることができ、また、スタンプした人工指紋を評価対象ディスクＤ1の表面に定着させることができる。微粒子状物質と分散媒との混合比率は、一律に規定することができないが、一般的には、重量比で分散媒１に対して微粒子状物質が0.1〜5.0であるのがよく、好ましくは0.1〜3.0、より好ましくは0.2〜1.0であるのがよい。【００４７】
人工指紋付着装置１に適用可能な人工指紋液は、天然又は合成のワックスや、カラギナン、アラビアガムなどの増粘剤や、四級アンモニウム塩、アルキルベンゼンスルホン酸塩などの界面活性剤を添加してもよく、また、イソプロピルアルコール、メチルエチルケトンなどで希釈してもよい。人工指紋液に関する基本的な考え方は、特開２００３−１６８２４８号公報に詳しく説明されていることから、その全てをここに援用する。【００４８】
人工指紋転写部材９は、金属などの硬質材料から作られてもよいが、好ましくは、適度な弾力性を備えた材料から作られるのがよい。具体的には、人工指紋転写部材９は種々のエラストマ材料から選択した材料から作られるのがよく、エラストマ材料として、ブタジエンゴム、ウレタンゴム、シリコーンゴムなどを挙げることができるが、シリコーンゴムが好ましい。【００４９】
人工指紋転写部材９の形状は円柱状又は下方に向かうに従って徐々に縮径した円錐形状であるのがよく、シリコーンゴムなどのエラストマ材料からなる人工指紋転写部材９にあっては、高さ５〜３０mm、好ましくは５〜２５mm、より好ましくは１０〜２５mmである。人工指紋転写部材９の材料としてシリコーンゴムなどを採用したときに、高さ寸法が短か過ぎるとスタンプピン６との接合材料、例えばシリコーンゴムをスタンプピン６の下端面に接着した場合の接着剤の影響が出やすく、また、高さ寸法が長すぎるとスタンプ時の荷重による撓み変形によってスタンプ条件が変化し易い。人工指紋転写部材９の下端面（転写面）の直径は、人間の指の大きさを考慮に入れると約５〜２０mmであるのがよく、好ましくは約７〜１５mmであるのがよい。これを面積で表現すれば、人工指紋転写部材９の下端面（転写面）の面積は、約２０〜３００mm２、好ましくは約４０〜２００mm２あるのがよい。【００５０】
叙上のようにエラストマ材料からなる人工指紋転写部材９の長さ及び転写面の直径又は面積を規定することにより人間の指を押し付ける状態に類似した状態を作ることができる。人工指紋転写部材９の硬度、特にエラストマ材料（典型的にはシリコーンゴム）を採用したときには、そのショア硬さは４０〜８０ＨＳであるのがよい。ちなみに、試作機で人工指紋転写部材９として実際に採用したシリコーンゴムのショア硬さは約６０ＨＳであった。【００５１】
人工指紋転写部材９の下端面つまり転写面の粗さは、特に人工指紋転写部材９としてエラストマー材料（典型的にはシリコーンゴム）を採用したときにはシリコーンゴムを成型したそのままの下端面（表面粗さ：約0.6〜0.7μｍ）であってもよいが、この下端面（転写面）を適当に粗面化して人工指紋液を均一に転写できるようにするのがよい。この粗面化の方法として、JIS R６２５又はJIS R２５２に規定するAA２４０の研磨材又はこれと同等の研磨材で擦って粗面化して、人工指紋転写部材９の下端面を、Ra（JIS B 0601-1994:算術平均粗さ）が約1.5〜4.5μｍ、好ましくは約1.5〜4.2μｍの粗面にするのが好ましい。したがって、エラストマー材料からなる人工指紋転写部材９は、その下端面に人工指紋液を均一に付着させて、評価対象ディスクD1に均一に人工指紋を付着させるのに、平均粗さ約0.6〜4.5μｍ（平均凹凸高さ）の範囲の粗面で構成するのがよい。人工指紋転写部材９の下端面（転写面）に人間の指紋を模した擬似的な指紋模様を付してもよいが、凹凸の度合い（凹凸の深さ）を人間の指紋に類した深さにすることは必ずしも好ましくなく、人工指紋液の均一な転写性を阻害する要因となり易い。【００５２】
人工指紋付着装置１の設定条件を規定し、また、使用する人工指紋液を規定することにより、ＤＶＤやBlu-rayディスクなどの光ディスクに対する人工指紋の付着性に再現性を提供することができ、これにより客観的な各種の評価が可能になる。評価の種類を例示すれば以下のとおりです。【００５３】
（１）光ディスクの汚れ難さの評価：
単位面積当たりの人工指紋の液滴の面積割合を測定して、規定のしきい値よりも低いときには良品と判定する。【００５４】
（２）光ディスクに付着した人工指紋の液滴の状態を光学顕微鏡で観察して、その画像をコンピュータに取り込んで画像処理を行い、液滴が付着している部分の面積と、付着していない部分の面積とを計測して、その面積割合により良品か否かを評価する。【００５５】
（３）人工指紋を付着した光ディスクの記録及び／又は再生特性を測定し、測定した特性をしきい値と対比してしきい値よりも良好な特性のときには良品と評価する。測定する光ディスクの記録、再生特性としては、例えば、再生時の反射率、変調度、ＲＦ信号平坦度、上書き信号又は追記信号のジッタ、出力レベル、ＣＮ比、エラーレート、記録又は再生時の線速度におけるフォーカス感度曲線のpeak−peak値、フォーカスエラー信号の残留エラー分の量、前記peak−peak値と残留エラー分の量との比率などを挙げることができる。【００５６】
（４）光ディスクの表面に付着した汚れ（指紋）の拭き取り性の良否の評価
これらの評価を人工指紋転写部材９に転写された人工指紋液の量を、例えばレベル０〜４というように段階的に変化させて、僅かな量の人工指紋の付着による光ディスクの性能の良否を評価することもできる。【００５７】
具体的なやり方として、例えば、図１の装置１において、サンプルディスク用テーブル４と人工指紋液転写ディスク用テーブル５との間に、空打ち用ディスクをセットすることのできる空打ち用テーブル（図示せず）を配置し、図６を参照して説明した第４工程で、人工指紋液が付着した人工指紋転写部材９（スタンプピン６）を評価対象ディスクＤ1の上まで移動させる前に、空打ち用ディスクに所定回数だけ空打ちさせるようにしてもよい。この作業を自動化するために、人工指紋転写部材９が下降動する前に、空打ち用テーブルを所定角度だけ回転駆動するための駆動手段を設けて同じ箇所に複数回空打ちするのを防止するのが好ましい。【００５８】
例えば、レベル０であれば空打ちすることなく、人工指紋転写部材９を評価対象ディスクＤ1に所定時間押し付ける。レベル１であれば、人工指紋転写部材９を１回だけ空打ち用ディスクに所定時間押し付け、次いで、人工指紋転写部材９を評価対象ディスクＤ1に所定時間押し付ける。レベル２であれば、人工指紋転写部材９を、２回、各回毎に空打ち用ディスクに所定時間押し付けた後に、人工指紋転写部材９を評価対象ディスクＤ1に所定時間押し付ける。レベル３であれば、人工指紋転写部材９を、３回、各回毎に空打ち用ディスクに所定時間押し付けた後に、人工指紋転写部材９を評価対象ディスクＤ1に所定時間押し付ける。レベル４であれば、人工指紋転写部材９を、４回、各回毎に空打ち用ディスクに所定時間押し付けた後に、人工指紋転写部材９を評価対象ディスクＤ1に所定時間押し付ける。【００５９】
このような方法を採用すれば、レベル０から順にレベル４まで、人工指紋転写部材９の人工指紋液の付着量を段階的に調整することができ、これにより人工指紋の段階的に低減した付着による光ディスクの性能の良否を評価することもできる。【００６０】
人工指紋転写部材９に付着する人工指紋液の量を段階的に調整するための他の方法として、希釈度合いを例えば２倍、３倍というように段階的に変えた人工指紋液の調製して、これを用いて、例えばレベル１〜レベル４用の人工指紋液転写ディスクＤ2を作成するようにしてもよい。これによれば、上記の空打ちによるレベル１〜レベル４までの評価と実質的に同じ評価を行うことができる。【００６１】
以上、本発明の好ましい実施例を説明したが、本発明はこれに限定されることなく、次の変形例を包含する。【００６２】
例えば、図１に図示の人工指紋付着装置１からロータリアクチュエータ１５を省くと共に人工指紋液転写ディスク用テーブル５を省いて、サンプルディスク用テーブル４に評価対象ディスクＤ1と人工指紋液転写ディスクＤ2とを載せ替えるようにしてもよい。このロータリアクチュエータ１５と人工指紋液転写ディスク用とを省いた変形例の人工指紋付着装置によれば、次の手順で、評価対象ディスクＤ1に人工指紋液を付着させることができる。【００６３】
(1)待機領域にあるサンプルディスク用テーブル４に人工指紋液転写ディスクＤ2を乗せる。【００６４】
(2)サンプルディスク用テーブル４をスタンプピン６（人工指紋転写部材９）の下まで移動させる。【００６５】
(3)スタンプピン６（人工指紋転写部材９）を下降させて人工指紋転写部材９を、所定時間、人工指紋液転写ディスクＤ2に押し付けて、人工指紋液を人工指紋転写部材９に転写する。【００６６】
(4)サンプルディスク用テーブル４を待機領域に戻して、人工指紋液転写ディスクＤ2を取り外す。【００６７】
(5)サンプルディスク用テーブル４に評価対象ディスクＤ1を乗せる。【００６８】
(6)サンプルディスク用テーブル４をスタンプピン６（人工指紋転写部材９）の下まで移動させる。【００６９】
(7)スタンプピン６（人工指紋転写部材９）を下降させて人工指紋転写部材９を、所定時間、評価対象ディスクＤ1に押し付けて、人工指紋を評価対象ディスクＤ1に付着させる。【００７０】
(8)サンプルディスク用テーブル４を待機領域に戻して評価対象ディスクＤ1を取り外し、人工指紋が付着した評価対象ディスクＤ1の評価を行う。【００７１】
評価対象ディスクＤ1及び／又は人工指紋液転写ディスクＤ2をサンプルディスク用テーブル４、人工指紋液転写ディスク用テーブル５にセット及び取り外すのに作業員が手で行ってもよいが、ディスク入れ替えアームなどを備えたディスク自動セット装置を人工指紋付着装置１に付加することによって、これを自動化するようにしてもよい。【００７２】
光ディスクの拭き取り性評価において、図７に例示の人工指紋拭き取り装置２０を使用するのがよい。人工指紋拭き取り装置２０は、モータ２１によって回転駆動される評価対象部材用テーブル２２を有し、この評価対象部材用テーブル２２の上に、人工指紋ＦＰが付着した評価対象ディスクＤ1が載置される。【００７３】
評価対象ディスクＤ1の上には拭き取りクロス２３が載置され、この拭き取りクロス２３の上には、選択された重量の分銅２４が載置される。拭き取りクロス２３は、評価対象ディスクＤ1と供回りするのを防止するために紐２５が連結されており、この紐２５は図外の基台などに固定される。拭き取りクロス２３の好適な材料として、テイジンの「ミクロスター」（登録商標）を挙げることができる。この「ミクロスター」は超極細繊維から作られており、光ディスクのクリーニング用クロスとして市販され且つ多用されている。【００７４】
モータ２１は、コントローラ２６によって回転制御が可能であり、コントローラ２６には、回転数設定手段２７及びタイマ設定手段２８が接続されている。モータ２１の回転数（rpm）は回転数設定手段２７によって任意に設定可能であり、また、モータ２１の動作時間はタイマ設定手段２８によって任意に設定可能である。モータ２１が実際に回転した回数はカウンタ２９に表示される。モータ２１の回転数を固定にして、モータ２１の動作時間だけをタイマ設定手段２８によって設定するようにしてもよく、また、タイマ設定手段２８によるモータ２１の動作時間の設定に代えて評価対象部材用テーブル２２が回転する回数をユーザが設定することができるようにしてもよい。【００７５】
人工指紋拭き取り装置２０を使って人工指紋を付着させた評価対象ディスクＤ1の拭き取り性を評価するには、先ず、人工指紋が付着した評価対象ディスクＤ1を評価対象部材用テーブル２２の上に置き、例えば、３１ｇの分銅２４をセットすると共に、回転数設定手段２７及びタイマ設定手段２８により回転数６７０rpm、１０秒を設定した後に、図外の起動スイッチを押すことによりモータ２１を起動させればよい。これにより、評価対象部材用テーブル２２上の評価対象ディスクＤ1の人工指紋ＦＰは拭き取りクロス２３によって拭き取られることになる。【００７６】
設定時間「１０」秒が経過してモータ２１が回転停止したら、評価対象部材用テーブル２２から評価対象ディスクＤ1を取り去って、目視により指紋拭き取り評価を行ってもよいが、評価対象ディスクＤ1を記録及び／又は再生装置に入れて映像の飛びや録画及び再生を行うことにより評価するようにしてもよい。【００７７】
人工指紋拭き取り装置２０を使用することにより、人工指紋の拭き取りに関し、一定の条件で拭き取りを行うことができ、これにより客観的な「拭き取り性」の評価を実現することができる。【００７８】
上述した人工指紋拭き取り装置２０に代えて、人工指紋付着装置１を流用して拭き取り性の評価を行うようにしてもよい。具体的には、図１の人工指紋付着装置１に仮想線で示すように、拭き取りクロス２３で人工指紋転写部材９を下方から覆い、この拭き取りクロス２３の上端を図外の紐で締め付けることで、拭き取りクロス２３を人工指紋転写部材９に固定すればよい。これにより、人工指紋付着装置１は、評価対象ディスクと当接する拭き取りクロス２３を備えた人工指紋拭き取り装置に変化する。【００７９】
人工指紋付着装置１を使って指紋拭き取り作業を行うには、例えばサンプルディスク用テーブル４に、人工指紋が付着した評価対象ディスクＤ1をセットし、次いで、アーム１０を下降させて、拭き取りクロス２３を備えた人工指紋転写部材９を下降させる。これにより、人工指紋転写部材９は拭き取りクロス２３を介して評価対象ディスクＤ1の表面に載った状態になる。評価対象ディスクＤ1に対して拭き取りクロス２３を押す力は、実質的に、分銅８を含むスタンプユニット３の自重によって規定される。従って、拭き取りクロス２３に加える荷重の調整は、分銅８の重さを選択することにより行うことができる。【００８０】
人工指紋付着装置１を使った指紋拭き取り作業は、例えば、サーボモータ１７の回転方向を周期的に変えて、サンプルディスク用テーブル４を水平方向に所定のピッチで往復移動させることにより行うことができる。往復移動の回数は、ユーザが任意に設定できるのが好ましく、このための手段として、コントローラ１８にその回数を設定するための手段を設けるのがよい。【００８１】
変形例として、人工指紋付着装置１にサンプルディスク用テーブル４を回転駆動させるモータ（図示せず）を付加して、前述した人工指紋拭き取り装置２０と同様に、評価対象ディスクＤ1に付着した人工指紋の拭き取りを行ってもよい。また、拭き取りクロス２３による拭き取りに関する動作は相対的であり、拭き取りクロス２３を移動させることにより、評価対象ディスクＤ1の板面に沿った水平移動又は周方向の移動による拭き取りを行うようにしてもよい。
【産業上の利用の可能性】
【００８２】
本発明は、例えば、ＣＤ、ＤＶＤなどの光ディスクの評価のために利用できる。
【図１】
0004561739.tif 000002
【図２】
0004561739.tif 000003
【図３】
0004561739.tif 000004
【図４】
0004561739.tif 000005
【図５】
0004561739.tif 000006
【図６】
0004561739.tif 000007
【図７】
0004561739.tif 000008